Podtech/llm-jp-corpus-v4-ja_patent huggingface dataset:
(57)【要約】【課題】コンセントケースの成形性が良くて生産性が向上し、また、火花放電の検出範囲を拡大し、而も検出部の清掃が容易にできる電源コンセントを提供する。【解決手段】電源コンセント１はコンセントケース２の前面のプラグ挿入口３，３間に形成された透孔５に例えば木やスポンジや繊維等の絶縁性の透水体６を装着する。プラグの栓刃間に発生する火花放電は透水体６を透過し、透水体６の裏側に設けたセンサ７に接触することにより検出される。【選択図】図２
2006048964.tif 000002
【特許請求の範囲】
【請求項１】
絶縁材料により形成したコンセントケースの前面に１対のプラグ挿入口を１個又は複数個形成し、該プラグ挿入口の内側にプラグの栓刃を挟持する受刃を配設し、前記プラグ挿入口間に透孔を形成し、該透孔の内側に前記栓刃間に発生する火花放電を検知するセンサを配設して成る電源コンセントにおいて、前記透孔に絶縁性の透水体を装着したことを特徴とする電源コンセント。
【発明の詳細な説明】
【技術分野】
【０００１】
本発明は、トラッキングに至る前に発生する火花放電を検知してトラッキングの発生を防止する電源コンセントに関する。
【背景技術】
【０００２】
従来、トラッキングを防止する機能を有する電源コンセントとして特許文献１に示すものがある。特許文献１は電源コンセント前面の受刃間に導電板を配置し、一端は表面から突出させ、もう一端はアース端子に接続させることで、トラッキングに至る前に発生する火花放電が発生した際にプラグの両刃間に流れる電流を導電板を介してアース端子に流し、漏電ブレーカに漏電電流として検知させて電路を遮断させている。
【０００３】
【特許文献１】特開２００１−３５５９９号公報
【発明の開示】
【発明が解決しようとする課題】
【０００４】
従来の電源コンセントはトラッキングに至る前に発生する火花放電を検出するセンサである導電板が電源コンセント表面に露出しているため、導電性のものが接触した際に誤動作する虞があったし、プラグ利用者の手等が接触することも考えられ、好ましいものではなかった。そこで本出願人は特願２００３−１２０５４６により、センサを電源コンセントのカバー表面に露出させずにカバー表面のプラグ挿入口間に形成した小さな透孔の内側にセンサを配置し、透孔から進入した微小な火花放電をセンサにより検出する電源コンセントを提案している。カバーに形成される透孔は水や埃が入らないようしたり、センサからの出力電流を小さくしてアンプ回路の負荷を軽減するために限界まで小さく形成していた。そのため、成形性が悪く生産性が良くないし、検出範囲が狭いし、更に検出部の清掃が困難であるという欠点があった。
【課題を解決するための手段】
【０００５】
本発明は、絶縁材料により形成したコンセントケースの前面に１対のプラグ挿入口を１個又は複数個形成し、プラグ挿入口の内側にプラグの栓刃を挟持する受刃を配設し、プラグ挿入口間に透孔を形成し、透孔の内側に栓刃間に発生する火花放電を検知するセンサを配設して成る電源コンセントにおいて、透孔に絶縁性の透水体を装着したことを特徴とする。
【発明の効果】
【０００６】
本発明の電源コンセントは、コンセントケースの透孔の大きさを大きくできるのでコンセントケースの成形性が良く、生産性が向上し、また、火花放電の検出範囲を拡大し、検出部の清掃が容易にできるという効果がある。
【発明を実施するための最良の形態】
【０００７】
電源コンセントはコンセントケースの前面のプラグ挿入口間に形成された透孔に絶縁性の透水体を装着する。プラグの栓刃間に発生する火花放電は透水体を透過し、透水体の裏側に設けたセンサに接触することにより検出される。
【実施例１】
【０００８】
本発明に係る電源コンセントの実施例１を図１及び図２の添付図面に基づいて説明する。
【０００９】
電源コンセント１は、絶縁材料によりコンセントケース２が形成され、コンセントケース２の前面にプラグの栓刃（図示せず）を挿入するための１対のプラグ挿入口３，３が中央と下部の２箇所に形成され、プラグ挿入口３の内側にはプラグの栓刃を挟持する受刃４が配設され、また、夫々のプラグ挿入口３，３間の中間位置にプラグ挿入口３と平行な縦長の透孔５が形成されている。
【００１０】
透孔５には、絶縁性の透水体６が取り付けられる。透水体６は、例えば、木やスポンジや繊維等が用いられる。
【００１１】
コンセントケース２の内部には透孔５の内側である透水体６の裏面にセンサ７が配設されている。センサ７は金属片等の導電部材により形成され、コンセントケース２の内部に配設されたプリント基板８のトラッキング検出回路に接続されている。
【００１２】
電源コンセント１のトラッキング検出動作を説明すると、受刃４，４に接続されたプラグの栓刃間に埃等が溜まり空気中の湿気を吸収することにより水分を介して栓刃間に微少な電流が流れ、その電荷を帯びた水分が気化して火花放電が発生する。そして、火花放電が透水体６を透過してセンサ７に接触するとセンサ７に微小な電流が流れる。このセンサ７の出力電流からトラッキング検出回路はトラッキングを検出し、コンセントケース２に内蔵したブレーカ９を作動させて電路を遮断すると共に表示ランプ１０によって表示を行うようになっている。
【００１３】
このように、電源コンセント１は透孔５に透水体６を取り付けるので透孔５の孔径を大きくすることができ、火花放電の検出範囲を拡大できるし、コンセントケース２の成形性が良く、生産性が向上する。また、透水体６の表面をきれいに拭き取るだけで容易に清掃をすることができる。
【００１４】
尚、本実施例において、透孔を縦長の長孔形状に形成したが、例えば、円形状や矩形状に形成しても良い。また、電源コンセントはプラグが２個接続できる２口電源コンセントであるが、１口電源コンセントでも良いし、複数個のプラグが接続できるタップ等でも良い。また、ブレーカを内蔵して電路を遮断するようになっているがトラッキング検出時の動作について限定はない。
【図面の簡単な説明】
【００１５】
【図１】本発明に係る電源コンセントの正面図である。
【図２】図１のＡ−Ａ線断面図である。
【符号の説明】
【００１６】
１    電源コンセント
２    コンセントケース
３    プラグ挿入口
４    受刃
５    透孔
６    透水体
７    センサ
【図１】
2006048964.tif 000003
【図２】
2006048964.tif 000004
(57)【要約】【課題】日々の売上げから損益計算書や貸借対照表、消費税の算出から確定申告書の作成ができることが課題である。【解決手段】情報処理装置（パソコン）に接続されたレジスターから日々の売上金額を入力し、仕入、経費、借方資産の入力するだけで、損益計算書や貸借対照表、消費税の算出および確定申告書の作成ができる。【特許請求の範囲】
【請求項１】
レジ連動会計システム
【発明の詳細な説明】
【発明の詳細な説明】
【発明が属する技術分野】
【０００１】本発明は、ソフトウェアーに関するものである。
【背景技術】
【０００２】個人事業主などで、日々の売上げから損益計算書や貸借対照表、消費税の算出および確定申告書の作成には多く労力を要します。
【発明が解決しようとする課題】
【０００３】日々の売上げから損益計算書や貸借対照表、消費税の算出および確定申告書の作成ができることが課題である。
【課題を解決するための手段】
【０００４】本発明は、情報処理装置（パソコン）に接続されたレジスターから日々の売上金額を情報処理装置（パソコン）に転送し、損益計算書や貸借対照表、消費税の算出および確定申告書の作成を特徴とする。
【実施例】
【０００５】レジスターから入力された売上げデータを情報処理装置（パソコン）に転送し、情報処理装置（パソコン）に記録する。【０００６】仕入、経費、借方資産の入力をおこない、項目ごとに相手勘定の計算処理をおこなう。【０００７】以上の入力データを用い、売上、仕入の日次、月次、年次の集計処理をおこなう。【０００８】電算処理をおこない、任意の月ごとに損益計算書や貸借対照表を出力する。【０００９】電算処理をおこない、任意の月ごとに標準課税または簡易課税の消費税額を出力する。【００１０】以上の入力データを用い、確定申告に必要なその他の金額を入力し、確定申告書を出力する。
【発明の効果】
【０００８】以上により、情報処理装置（パソコン）に接続されたレジスターから日々の売上金額を入力し、仕入、経費、借方資産の入力するだけで、損益計算書や貸借対照表、消費税の計算処理および確定申告書作成ができる発明である。
(57)【要約】      （修正有）【課題】情報検索の操作手間を省き、必要とする情報を簡単に表示させる。【解決手段】各種印刷物及び携帯電話取込画像バーコード情報を読取り、必要とする情報を表示させる。【選択図】なし【特許請求の範囲】
【請求項１】
情報検索バーコードシステム
【発明の詳細な説明】
【発明の詳細な説明】
【発明が属する技術分野】
【０００１】本発明は、バーコードに関するものである。
【背景技術】
【０００２】不特定多数が利用する情報端末装置（パソコン）にて、情報検索方法として、タッチ式モニターによる検索操作が用いられています。
【発明が解決しようとする課題】
【０００３】多くの情報がある情報端末装置（パソコン）の情報検索では、求める情報にたどりつくまで、多くの検索操作を行わなければ、求める情報にたどり着かない。
【課題を解決するための手段】
【０００４】本発明は、情報端末装置（パソコン）に接続されたバーコード読取り装置にバーコードを読取らせ、情報を表示させることで、検索操作を省略することを特徴とする。
【実施例】
【０００５】情報端末装置（パソコン）を用いて表示できる情報とは動画・静止画・テキストなどの情報とする。【０００６】バーコード読取り装置とはバーコードリーダ及びＣＣＤカメラとする。【０００７】読取らせるバーコードは各種印刷物及び携帯電話取込画像とする。【０００８】情報端末装置（パソコン）に接続されたバーコード読取り装置でバーコード情報を読取り、必要とする情報を表示させる。
【発明の効果】
【０００９】以上により、情報検索の操作手間を省き、必要とする情報を簡単に表示させることができる発明である。
(57)【要約】【課題】パソコン筐体内部容積の拡張と、パソコンリサイクル問題の解決【解決手段】  〔０００１〕従来のミニタワー型パソコン筐体等を用いたメーカー製一般向けパソコンは、筐体内部容積の物理的な制限から内部機器の増設に限界があります。本発明を実施する事で、今まで不可能であったパソコン筐体内部容積の拡張を可能とし、問題を飛躍的に解決するものである。  〔０００２〕技術進歩が盛んなパソコン関連業界において、１年過ぎたらただのゴミと称されるように、技術進歩に併せて不要パソコンの発生が今、大きな社会問題となりＰＣリサイクル法という法律も成立したわけですが、本発明を実施する事で、今までスペック不足や、メーカー製市販パソコンの拡張性の限界問題で、ゴミと判断されていたパソコンでも、技術進歩に合わせたシステムの再構築構成が可能となりますので、ＰＣリサイクルという面でも画期的な発明と言えます。【選択図】  なし【特許請求の範囲】
【請求項１】
筐体内部に固定した電源部分をリトラクタブル式で開閉できるパソコン筐体
【請求項２】
筐体内部の容積を変えられるパソコン筐体
【請求項３】
筐体外壁を開閉して放熱できるパソコン筐体
【請求項４】
上記請求項１から３を組み合わせたパソコン筐体
【発明の詳細な説明】
【発明の詳細な説明】
【技術分野】
【０００１】１  本発明は、パソコン筐体の形状に関する。
１  本発明は、パソコン筐体の冷却方法に関する。
１  本発明は、パソコン筐体内部に固定する電源の冷却方法に関する。
１  本発明は、パソコンの構成に用いるマザーボードの変更に関する。
１  本発明は、パソコンの内部機器の増設に関する。
【背景技術】
【０００２】１  筐体内部に固定した電源は、固定した位置から移動させて可動できない物である。
１  パソコン筐体は、内部容積を増やすことができない物である。
１  パソコン筐体は、その規格以上の内部機器の増設ができない物である。
１  パソコン筐体は、内部放熱をするための外壁の開閉ができない物である。
【発明が解決しようとする課題】
【０００３】従来のパソコン筐体は、電源を取り付け固定したままの位置で可動するという形からは何も変化がみられておりません。
【０００４】従来のパソコン筐体は、内部容積を増やすことができない物であるであるため、使用するマザーボードの規格や内部機器の増設等が、パソコン筐体の内部容積で構成条件が決められ、それ以上の構成条件の向上が物理的に不可能という形からは何も変化がみられておりません。
【０００５】従来のパソコン筐体は、外壁に固定された形で存在する穴や切れこみ、網状の部分から電動ファン等を用いて、パソコン筐体内部の放熱をするという形からは何も変化がみられておりません。
【課題を解決するための手段】
【０００６】上記目的を達成するために、本発明におけるリトラクタブル式パソコン筐体は、パソコン筐体内部に固定した電源取り付け部分をリトラクタブル式で可動できる形式に変更する事で、課題の解決を行ないます。
【０００７】上記目的を達成するために、本発明におけるリトラクタブル式パソコン筐体は、パソコン筐体内部の容積を変えられる形式に変更する事で、課題の解決を行ないます。
【０００８】上記目的を達成するために、本発明におけるリトラクタブル式パソコン筐体は、パソコン筐体外壁を開閉して放熱できる形式に変更する事で、課題の解決を行ないます。
【発明を実施するための最良の形態】
【０００９】発明の実施の形態について、リトラクタブル式パソコン筐体の説明をする。従来のパソコン筐体は、パソコン筐体内部電源を取り付け固定したままの位置で可動するものであるが、本発明の場合は、可動時にパソコン筐体内部に固定した電源取り付け部分をリトラクタブル式で可動できる形式に変更する。【００１０】発明の実施の形態について、リトラクタブル式パソコン筐体の説明をする。従来のパソコン筐体は、パソコン筐体内部の容積は一定ものであるが、本発明の場合は、リトラクタブル式でパソコン筐体内部の容積を変えられる形式に変更する。【００１１】発明の実施の形態について、リトラクタブル式パソコン筐体の説明をする。従来のパソコン筐体は、内部放熱をするための外壁開閉ができないものであるが、本発明の場合は、可動時にパソコン筐体外壁の一部分をリトラクタブル式で開閉できる形式に変更する。
【実施例】
【００１２】本発明により、可動時にパソコン筐体内部に固定された電源の固定位置を変えられることで、電源と他の内部機器との発熱干渉を防ぐ事が可能となる。【００１３】本発明により、パソコン筐体内部の容積を変えられることで、パソコン筐体内部のスペース確保の問題も無くなり、内部機器の増設作業が容易に行なう事も可能となる。【００１４】本発明により、可動時にパソコン筐体外壁の一部分をリトラクタブル式で開閉できることで、パソコン筐体内部の放熱の形態も多様となり、また可動時にパソコン筐体内部に固定された内部放熱用電動ファン等の冷却装置の動作位置を変えられることで、より効果的な放熱が可能となる。
【発明の効果】
【００１５】１  電源の冷却がより効果的に行なう事ができる。
１  電源の加熱による問題の発生を防ぐ事ができる。
１  電源と他の内部機器との発熱干渉を防ぐ事ができる。
１  マイクロＡＴＸ規格のマザーボードからＡＴＸ規格のマザーボードへの内蔵マザーボードの積み替えが可能になる。
１  パソコンのスペック変更がより効果的に行なう事ができる。
１  多大なＰＣリサイクル効果を望む事ができる。
【図面の簡単な説明】以下、図面は、本発明リトラクタブル式パソコン筐体の、電源固定部分と外壁の変形可動状態と、筐体内部の容積を変えられる方法を略図にしたものである。【図１】筐体内部に固定した電源部分をリトラクタブル式で開閉できるパソコン筐体について、電源固定部分の平常時の側面を略図にしたものである。
【図２】筐体内部に固定した電源部分をリトラクタブル式で開閉できるパソコン筐体について、電源固定部分の可動時の側面を略図にしたものである。
【図３】筐体外壁を開閉して放熱できるパソコン筐体について、外壁の平常時の正面を略図にしたものである。
【図４】筐体外壁を開閉して放熱できるパソコン筐体について、外壁の可動時の正面を略図にしたものである。
【図５】筐体内部の容積を変えられるパソコン筐体について、平常時の正面を略図にしたものである。
【図６】筐体内部の容積を変えられるパソコン筐体について、可動時の正面を略図にしたものである。
【符号の説明】
１  リトラクタブル式パソコン筐体本体
２  パソコン筐体内蔵の電源固定部分
３  可動する筐体外壁
４  外壁が可動することで、筐体外部に突出した放熱装置
５  可動させたことで増加した容積
【図１】
2006048618.tif 000002
【図２】
2006048618.tif 000003
【図３】
2006048618.tif 000004
【図４】
2006048618.tif 000005
【図５】
2006048618.tif 000006
【図６】
2006048618.tif 000007
(57)【要約】【課題】▲１▼  熱線センサーアダプターと音響再生装置との通電回路。▲２▼  カセットテープの巻き戻し。【解決手段】▲１▼  音響再生装置については熱線センサーアダプターが作動した場合、通電の都度、音響を再生する構造とする、▲２▼  録音再生用のカセットテープはエンドレスカセットテープを使用することによりカセットテープの巻き戻し課題は解決。【選択図】  図１
2006048621.tif 000002
【特許請求の範囲】
「
【請求項１】
」熱線センサーアダプターと録音再生用のエンドレスカセットテープ内蔵の録音再生専用装置を接続し、熱線センサーアダプターの作動により番犬が吠える声を再生して対人防犯、農耕地等（犬を天敵とする）有害鳥獣への威嚇効果を特徴とする防犯用音響機器（録音再生専用装置とは、エンドレスカセットテープレコーダーの再生機能のみを有する構造）
【発明の詳細な説明】
【技術分野】
【０００１】（家電製品）  熱線センサーアダプターと録音再生用のエンドレスカセットテープ内蔵の再生専用装置を接続した防犯用音響機器
【背景技術】
【０００２】従来の音響再生装置は電源がＯＦＦになると熱線センサーアダプターから通電があっても音響再生装置は再作動しません、従来のカセットテープレコーダーと普通の録音再生用のカセットテープを使用した場合テープの巻き戻しが必要で防犯用音響機器として不適当です。
【発明の開示】
【発明が解決しようとする課題】
【０００３】▲１▼  熱線センサーアダプターと音響再生装置との通電回路。
▲２▼  カセットテープの巻き戻し。
【課題を解決するための手段】
【０００４】▲１▼  音響再生装置については熱線センサーアダプターが作動した場合、通電の都度、音響を再生する構造とする、
▲２▼  録音再生用のカセットテープはエンドレスカセットテープを使用することによりカセットテープの巻き戻し課題は解決。
【発明の効果】
【０００５】不審な侵入者に対しては番犬の吠える声が心理的に効果があり、不審者に対面することなく安全です。
農耕地等では犬を天敵とする有害鳥獣の威嚇にも利用できます。
【発明を実施するための最良の形態】
【０００６】熱線センサーアダプター、及び音響再生装置は対人防犯にはそれぞれの目的により最も防犯効率の良い場所に設置する。
農耕地等では電源の確保が容易で有害鳥獣の威嚇に適した場所を選定して設置する。尚、拡声器に接続して音量調節すれば効果的と思います。
【実施例】
【０００７】塀で囲まれた宅地の通用口付近の最も防犯効率の良好な位置に熱線センサーアダプターと音響再生装置を設置する。（犬小屋があれば効果増大）【０００８】不審者の侵入を防ぐ必要がある部屋、建築物等に対して最も防犯効率の良好な位置を選び熱線センサーアダプター及び音響再生装置を設置する【０００９】（農耕地等の犬を天敵とする有害鳥獣の威嚇効果について）現在試作機にて実験中ですが曇天の昼間、狸が鶏舎に接近し熱線センサーアダプター及び音響再生装置が作動して、狸が山中に逃げ込む姿を確認しました。
【産業用の利用可能性】
【００１０】農耕地等の犬を天敵とする有害鳥獣の威嚇効果を確実に得る為の研究をおこなえば、養鶏場、農林業等の産業用にも利用可能と思います。
【図面の簡単な説明】
【００１１】
【図１】  「第一実施例（０００７）を示した平面図である。」
【図２】  「第二実施例（０００８）を示した平面図である。」
【図３】  「第三実施例（０００９）を示した平面図である。」
【符号の説明】
【００１２】    「第一実施例」（０００７）
１１「Ａｃ」    電源
１２「Ｓａ」    熱線センサーアダプター
１３「Ｅｔ」    録音再生用のエンドレスカセットテープ内蔵の録音再生専用装置
１４    ＝      電源〜熱線センサーアダプターから録音再生専用装置までの電気配線
「第二実施例」（０００８）
２１「Ａｃ」    電源
２２「Ｓａ」    熱線センサーアダプター
２３「Ｅｔ」    録音再生用のエンドレスカセットテープ内蔵の録音再生専用装置
２４    ＝      電源〜熱線センサーアダプターから録音再生専用装置までの電気配線
「第三実施例」（０００９）
３１「Ａｃ」    電源
３２「Ｓａ」    熱線センサーアダプター
３３「Ｅｔ」    録音再生用のエンドレスカセットテープ内蔵の録音再生専用装置
３４  ＝        電源〜熱線センサーアダプターから録音再生専用装置までの電気配線
【図１】
2006048621.tif 000003
【図２】
2006048621.tif 000004
【図３】
2006048621.tif 000005
(57)【要約】【課題】    一組の直交軸を操作軸で操作するジョイスティックにおいて、部品形状を単純化し、部品の数と種類を最小限にした機構を提供する。  【解決手段】直交するＸ軸とＹ軸に回動自在に支持された一組の直交軸２および３と、Ｘ軸とＹ軸の交点を支点とし、任意の方向に傾動する操作軸１と、直行軸の各端部に連結されて、各直交軸の回動角度に対応する信号を出力する一組の信号出力手段とを備えて、操作軸の下部に抜け止め部を設けると共に、各直交軸に操作軸が貫通する回動方向に直角な各方向の長孔を設けて、操作軸の抜け止め部を一組の直行軸で上下から挟み、抜け止め部と各直交軸との接触面を球面とした連結機構を有するジョイスティックにおいて、直交軸の部品形状を同一とし部品の種類を最小限したものである。【選択図】  図１
2006323491.tif 000002
【特許請求の範囲】
【請求項１】
直交するＸ軸とＹ軸に回動自在に支持された上下一組の直交軸と、Ｘ軸とＹ軸の交点を支点とし、任意の方向に傾動する操作軸と、直交軸の各端部に連結されて、各直交軸の回動角度に対応する信号を出力する一組の信号出力手段とを備えて、操作軸の下部に抜け止め部を設けると共に、各直交軸に操作軸が貫通する回動方向に直角な各方向の長孔を設けて、操作軸の抜け止め部を上下一組の直交軸で上下から挟み、抜け止め部と各直交軸との接触面を球面とした連結機構を有するジョイスティックにおいて、各直交軸を同一形状とした機構を有するジョイスティック。
【発明の詳細な説明】
【技術分野】
【０００１】
本発明は、１つの操作レバーを多方向に操作し、２系統以上の制御信号を発信し、機械装置類を操作するジョイスティックに関するものである。
【背景技術】
【０００２】
ジョイスティックの基本的機構は、直交するＸ軸とＹ軸に回動自在に支持された一組の直交軸とＸ軸とＹ軸の交点を支点とし、任意の方向に傾動する操作軸から構成され、操作軸の傾動角度に応じ各直交軸が回動する機構を有する。操作軸を支持する方法として、一方の直交軸にリンク機構を用いて支持する方法と、固定フレームに設けた球面軸受けで支持する方法が一般的であるが、小型化や低コスト化を目的として様々な工夫がされている。
【０００３】
操作軸を直交軸にリンク機構で支持するジョイスティックを小型化する場合、強度低下が問題となるが、直交軸の形状を工夫することで解決されている。また、上下一組の直交軸で操作軸に設けた球面部分を挟むことで、操作部材を支持する独立した球面軸受けを省き小型化されている。
【特許文献１】特許第２９９６９３０号
【特許文献２】特開２００１−７５６６５
【特許文献３】特許第３６２９１６８号
【発明の開示】
【発明が解決しようとする課題】
【０００４】
解決しようとする問題点は、従来のジョイスティックは部品形状が複雑で、精密な製造型を必要とする。小型の量産品には適合するが、クレーン操縦など大型の機械設備の運転に使用されるジョイスティックは、強度を要するため小型化に限度があり部品形状も比較的大きく、少量生産であり部品製作においてコスト高となる。
【０００５】
本発明は、部品形状を単純化し、部品の数と種類を最小限にした、一組の直交軸を操作軸で回動させるジョイスティックを提供することを目的とする。    
【課題を解決するための手段】
【０００６】
本発明は、直交するＸ軸とＹ軸に回動自在に支持された上下一組の直交軸と、Ｘ軸とＹ軸の交点を支点とし、任意の方向に傾動する操作軸と、直行軸の各端部に連結されて、各直交軸の回動角度に対応する信号を出力する一組の信号出力手段とを備えて、操作軸の下部に抜け止め部を設けると共に、各直交軸に操作軸が貫通する回動方向に直角な各方向の長孔を設けて、操作軸の抜け止め部を一組の直行軸で上下から挟み、抜け止め部と各直交軸との接触面を球面とした連結機構を有するジョイスティックにおいて、直交軸の部品形状を同一として部品の種類を最小限したものである。
【発明の効果】
【０００７】
直交軸の部品数は２個、種類は１種となり、製作型の投資費用および部品管理費用を節約できる。
【発明を実施するための最良の形態】
【０００８】
以下に本発明の実施形態を図面に基づいて説明する。
【実施例１】
【０００９】
図1は、本発明の操作軸と一組の直行軸の基本的機構を示す斜視図である。直交軸２と３は同じ形状の部品である。図2は図１を部分断面図として表した投影図である。
【実施例２】
【００１０】
図３は、本発明の具体的応用例を示す。操作レバーと直交軸との連結が簡単な機構なので、容易に、ニギリ部から押しボタン操作機能を追加できる例を示す。
【図面の簡単な説明】
【００１１】
【図１】本発明の基本機構を示した説明図である。（実施例1）
【図２】図１を平面図および部分断面図で示した説明図である（実施例１）
【図３】より具体的な実施例を示した説明図である（実施例２）
【符号の説明】
【００１２】
操作軸
直交軸
直交軸
スリーブ軸受け
セグメント
ロッド
ボタン
ニギリ
アクチェータ
バネ
スリーブ
トメワ
塞ぎディスク
スロットカバー
【図１】
2006323491.tif 000003
【図２】
2006323491.tif 000004
【図３】
2006323491.tif 000005
(57)【要約】【課題】プリント端末で簡単に写真の画像データの管理及び写真のプリントができるシステムを提供する。【解決手段】デジタルカメラで撮影した写真をプリント端末でプリントするとき、写真の画像データをサーバに保存し、画像データを識別するためのＩＤ番号を発行する。ＩＤ番号は数桁の数字とする。プリントされた写真の裏面にこのＩＤ番号とＩＤ番号のバーコードを印字する。同じ写真を再度プリントする場合は、プリント端末でＩＤ番号を手入力又はスキャナーによりＩＤ番号のバーコードを読み取ることにより、画像のデータをサーバから取得してプリントすることができる。写真の画像データが入っているメモリカードの提出が不要となります。ＩＤ番号だけで写真の再プリントができ、つまり、ＩＤ番号はネガフィルムのような役割をはたすことになる。また、インターネットに接続しているパソコンからも、このＩＤ番号により画像データを閲覧することができる。【選択図】図１
2006323436.tif 000002
【特許請求の範囲】
【請求項１】
デジタルカメラで撮影した写真をプリント端末でプリントするとき、写真の画像データをサーバに保存し、サーバは画像データを識別するためのＩＤ番号を発行する。同じ写真を再度プリントする場合は、ＩＤ番号だけを入力することにより、画像のデータをサーバから取得して写真の再プリントができることを特徴とするプリントシステム。
【請求項２】
前記画像データを識別するためのＩＤ番号は、プリントされた写真の裏面にＩＤ番号とＩＤ番号のバーコードを印字することを特徴とする請求項１に記載のプリントシステム。
【請求項３】
前記画像データを識別するためのＩＤ番号は、インターネットに接続しているパソコンから、ＩＤ番号により画像データを閲覧することができることを特徴とする請求項１に記載のプリントシステム。
【発明の詳細な説明】
【技術分野】
【０００１】
本発明は、プリント端末及びサーバによるデジタルカメラ写真の画像データの管理方法に関するものである。
【背景技術】
【０００２】
店舗に設置されたプリント端末は、デジタルカメラで撮影した写真をプリントすることはできるが、写真の画像データはユーザー自身でパソコンなどで管理しなければならない。そしてプリント端末で写真プリントする度に、画像データが入っているメディアが必要となる。
【発明の開示】
【発明が解決しようとする課題】
【０００３】
この発明は、プリント端末で簡単に写真の画像データの管理及び写真のプリントができるシステムを提供することを課題とする。
【課題を解決するための手段】
【０００４】
上記目的を達成するために、本発明は、デジタルカメラで撮影した写真をプリント端末でプリントするとき、写真の画像データをサーバに保存し、サーバは画像データを識別するためのＩＤ番号を発行する。同じ写真を再度プリントする場合は、ＩＤ番号だけを入力することにより、画像のデータをサーバから取得して写真の再プリントができることを特徴としている。
また、前記画像データを識別するためのＩＤ番号は、プリントされた写真の裏面にＩＤ番号とＩＤ番号のバーコードを印字することを特徴としている。
また、前記画像データを識別するためのＩＤ番号は、インターネットに接続しているパソコンから、ＩＤ番号により画像データを閲覧することができることを特徴としている。
【発明の効果】
【０００５】
この発明によれば、デジタルカメラ写真の画像データをプリント端末及びサーバで簡単に管理でき、ＩＤ番号で画像データをサーバから呼び出し、プリント端末で、簡単に写真の再プリントができる。
【発明を実施するための最良の形態】
【０００６】
この発明のシステムの構成を、図１に示す。
デジタルカメラで撮影した写真をプリント端末でプリントするとき、またはプリント注文するとき、、写真の画像データをサーバに保存し、サーバは画像データを識別するためのＩＤ番号を発行する。ＩＤ番号は数桁の数字とする。プリントされた写真の裏面にこのＩＤ番号とＩＤ番号のバーコードを印字する。
同じ写真を再度プリントする場合は、プリント端末でＩＤ番号を手入力またはスキャナーでＩＤ番号のバーコードを読み取ることにより、画像のデータをサーバから取得してプリントすることができる。写真の画像データが入っているメモリカードの提出が不要となります。ＩＤ番号だけで写真の再プリントができ、つまり、ＩＤ番号はネガフィルムのような役割をはたすことになる。また、インターネットに接続しているパソコンからも、このＩＤ番号により画像データを閲覧することができる。
【０００７】
プリントするとき、写真の画像データをサーバに保存するかどうかはユーザーが選択できる。ＩＤ番号は、推測不可能にする為に十分な桁数を設定する。また、ＩＤ番号の発行は、全部の写真をまとめて一つのＩＤ番号にするか、もしくは写真ごとにＩＤ番号を発行するかを選択できる。全部の写真をまとめて一つのＩＤ番号にした場合は、再度プリントするとき、ＩＤ番号を入力して、全部の写真を表示された画面でプリントしたい写真の選択ができる。
ＩＤ番号を友人や親戚に教えることにより、本人以外の人でもＩＤ番号を入力すれば、写真のプリントやインターネットから写真を閲覧することができる。
【図面の簡単な説明】
【０００８】
【図１】プリント端末及びサーバによるデジタルカメラ写真の画像データ管理システムの構成を示した説明図である。
【符号の説明】
【０００９】
１  プリント端末
２  画像データ保存および管理用サーバ
３  インターネット
４  パソコン
【図１】
2006323436.tif 000003
(57)【要約】【課題】データサーバが点検、故障等停止中でも、監視データを継続収集しデータ一時保存用ハードディスクに保存し、一時保存データを一括してその後起動したデータサーバに送信格納し、かつ通常時監視データを合わせてデータサーバに格納し、停止期間があっても、連続して監視データ処理を行う監視装置を提供する。【解決手段】通常監視データはテレメータ等を介し通信用コンピュータにより受信され、データ一時保存用コンピュータに送られ、ハードディスクに一時保存される。サーバが正常稼動時、順次サーバへ送り出し後、一時保存用データは削除される。データサーバが異常時には一時保存用データのサーバへの送り出しは停止し、一時保存を継続する。データサーバが起動したら一時保存用データを送信し、かつ現在の状態であるデータも合わせてデータサーバに送信し、サーバ停止期間があってもデータサーバ内では連続して監視データを保存する。【選択図】図１
2006323622.tif 000002
【特許請求の範囲】
【請求項１】
上下水道の監視設備において機場データを収集する通信用コンピュータと通信用コンピュータが収集したデータを受信し保存するデータサーバにおいて、データサーバが停止中であっても機場データを収集してハードディスクに保存し、データサーバ起動後に現在の機場データと合わせて一旦ハードディスクに保存したデータをデータサーバに送信し、データサーバ停止中であってもデータを連続して再現できる監視装置。
【発明の詳細な説明】
【技術分野】
【０００１】
本発明は、上下水道用監視装置のデータ処理に関するものである。
【背景技術】
【０００２】
上下水道用監視装置はデータを収集処理するコンピュータ、収集したデータを保存する大容量のハードディスク他プリンタなどで構成されている。これらを構成する機器は定期的に交換を必要とする部品を有している。例えばハードディスクやコンピュータ用冷却ファンであり、交換をせずに稼動継続するとハードディスクの寿命によるデータの書き込みエラーや、ファン停止によるコンピュータ内温度異常によりシステムダウンにつながる。
【０００３】
従ってこれら寿命品の交換は定期的に実施しなければならないが活線状態で行うことはできず、電源を切って、すなわちシステムを止めて交換しなければならない。このとき現場のデータを収集しても保存できない期間が生じ、データの欠落期間（以降欠測と称す）が発生する。あるいは、メンテナンス後の監視データの欠測を生じないような監視装置を別に設けていた。（例えば、特許文献１参照。）
監視システムが冗長化されていないようなシステムでは場合によっては人が現場に張り付いて監視するなど担当者の負担が甚大なものとなる。
【０００４】
【特許文献１】公開特許公報  特開２００３−２６３６９３
【発明の開示】
【発明が解決しようとする課題】
【０００５】
解決しようとする課題は、点検あるいはトラブルによるサーバ停止時でもデータを収集して保存し機場データの欠測を防止するものである。
【課題を解決するための手段】
【０００６】
メインとなるサーバに接続されているハードディスクのほかに収集データを一時保存するハードディスクを具備したことを特徴とする。
【発明の効果】
【０００７】
本発明によるシステムにおいて、機場から収集したデータは一時保存用ハードディスクに保存される。一旦保存されたデータはサーバが正常に稼動していれば、サーバに接続されているハードディスクに転送され消去される。サーバが停止しているときには、サーバが起動するまで一時保存用ハードディスクに保存したままとし、サーバ起動とともにサーバに接続されたハードディスクに転送される。従ってサーバが停止していた期間のデータもあたかもサーバが稼動していたかのように連続したデータを保存できる。
【発明を実施するための最良の形態】
【０００８】
サーバ以外にデータを一時保存するコンピュータとハードディスクを設けることにより実現できる。
【実施例１】
【０００９】
図１は、本発明の実施例の構成図であって、１はサーバ、２はサーバに接続されている大容量ハードディスク、３は本発明に基づいたデータ一時保存用コンピュータ、４はデータ一時保存用ハードディスク、５及び７は機場データを収集する６及び８からデータを受信しＬＡＮ上にデータを流す通信用コンピュータ、６、６’及び８はデータを機場から収集し５及び７にデータを送る装置である。図２は本発明におけるデータの流れを図１の構成を元に示した図である。
【００１０】
機場からのデータの流れは次のようになる。ａ．機場データはＴＭ（テレメータ）またはＰＩＯを介して、６からデータを受信しＬＡＮ上にデータを流す通信用コンピュータ５または８からデータを受信しＬＡＮ上にデータを流す通信用コンピュータ７に取り込まれる。
【００１１】
ｂ．通信用に取り込まれたデータはＬＡＮを介してデータ一時保存用コンピュータ３のデータ一時保存用ハードディスク４に保存される。
【００１２】
ｃ．データ一時保存用コンピュータ３はデータ一時保存用ハードディスク４に保存されているデータをサーバ１が正常に稼動していることを確認しサーバ１へ送り込む。
ｄ．サーバ１は受け取ったデータをサーバ１内の大容量ハードディスク２に保存する。
【００１３】
従来のシステムではｂ項、ｃ項がなく、ａ項の通信用コンピュータからサーバへ直接データを送り込む構成であった。
【００１４】
サーバ１が点検や故障により正常に稼動していないときは、サーバ１へのデータ転送は中断しデータ一時保存用コンピュータ３につながれたデータ一時保存用ハードディスク４に保存したままとし、未送信フラグを立てておく。サーバ１復旧後、通常時のデータ保存・転送処理のほか、未送信データをサーバ１へ送信開始する。
【００１５】
以上の構成、アルゴリズムでサーバが稼動していないときもデータの連続性を実現できる。
【産業上の利用可能性】
【００１６】
データの欠測が容認されず、かつシステム全体を二重化する程の規模・システムでないようなシステムに適用できる。
【図面の簡単な説明】
【００１７】
【図１】データを一時保存するコンピュータとハードディスクを具備した監視装置例
【図２】図１におけるデータの流れを示した図
【符号の説明】
【００１８】
１      サーバ
２      大容量ハードディスク
３      データ一時保存用コンピュータ
４      データ一時保存用ハードディスク
５      ６からデータを受信しＬＡＮ上にデータを流す通信用コンピュータ
６      機場データを収集する機器
６′    機場データを収集する機器
７      ８からデータを受信しＬＡＮ上にデータを流す通信用コンピュータ
８      機場データを収集する機器
ＴＭ    テレメータ
ＰＩＯ  入出力装置
【図１】
2006323622.tif 000003
【図２】
2006323622.tif 000004
(57)【要約】【課題】ダイレクトメールの反応は従来、主にサービスの提供依頼や商品の購入、電話や電子メールによる問い合わせなど、受取人から差出入への直接的な行動でしか把握できなかった。【解決手段】ダイレクトメール１にあて先ごとのホームページアドレスを印刷する。サーバーに設定されたホームページ２をダイレクトメール１に印刷されたホームページアドレスにそれぞれ対応させる。【選択図】図１
2006323797.tif 000002
【特許請求の範囲】
【請求項１】
あて先ごとに異なるホームページアドレス又はＱＲコード等を印刷、記入、貼付したダイレクトメール。
【請求項２】
ダイレクトメール上のホームページアドレス又はＱＲコードに対応した複数のホームページアドレスを設定したサーバーシステム。
【請求項３】
同一内容又は一部を変更したファイル名の異なるｈｔｍｌファイルを連続的に作成するコンピュータプログラム。
【発明の詳細な説明】
【技術分野】
【０００１】  この発明は、インターネット技術を用いたダイレクトメールの印刷とホームページの設定、およびｈｔｍｌファイルの生成に関する。
【背景技術】
【０００２】  従来のダイレクトメールはダイレクトメールの受取人がダイレクトメール上に印刷された住所、電話番号、ホームページアドレス又は同封された返信用はがきを使用してダイレクトメールの発送者にサービスの提供、商品の購入、問い合わせ等の連絡を行う。
【発明の開示】
【発明が解決しようとする課題】
【０００３】  しかしながら、以上の技術によれば、ダイレクトメール発送者は送付したダイレクトメールに対する受取人の反応を発送者店舗への訪問、電話、ホームページ経由での申し込み、メールでの問い合わせ、返信はがきにより把握することができるが、ダイレクトメールを見てホームページを閲覧した受取人を把握することはできなかった。
そこで、この発明は、ダイレクトメールを受け取ってホームページを閲覧した受取人を把握することを課題とする。
【課題を解決するための手段】
【０００４】  以上の課題を解決するための、第一発明は、あて先ごともしくは特定の業種や地域、職業などのあて先グループごとにユニークなホームページアドレスあるいはＱＲコード等を印刷、記入、貼付したダイレクトメールである。
また、第二発明は、あて先ごともしくは特定の業種や地域、職業などのあて先グループごとに割り振られたユニークなホームページアドレスに対応した複数のホームページアドレスを設定したサーバーシステムである。
また、第三発明は、同一内容又は一部を変更したファイル名の異なるｈｔｍｌファイルを連続的に作成するコンピュータプログラムである。
【発明の効果】
【０００５】  第一発明と第二発明によれば、ダイレクトメールの発送者は複数の受取人のうち誰がいつホームページにアクセスしたかを一般のホームページアクセス解析ソフトを用いて容易に把握できるようになる。また、第三発明によれば、ダイレクトメールの発送者は異なる大量のホームページアドレスを容易に作成でき、サーバー設定負荷大幅に軽減する。
【発明を実施するための最良の形態】
【０００６】  この発明の一実施形態を、図１に示す。
ダイレクトメール１にはあて先ごとに異なるホームページアドレスが印刷されている。サーバーに設定されたホームページ２はダイレクトメール１に印刷されたホームページアドレスに対応している。各ホームページ設定に用いられるファイルはｈｔｍｌファイルの自動生成プログラムにより作成し、サーバーへアップロードする。【０００７】「実施形態の効果」
この実施形態によれば、サーバーへのアクセス解析を通じてどのあて先からホームページにアクセスがあったかが把握可能となる。【０００８】「他の実施形態」
図２の実施形態では、ダイレクトメール１には特定の業種や地域、職業などのあて先グループごとに異なるホームページアドレスが印刷されている。サーバーに設定されたホームページ２はダイレクトメール１に印刷されたあて先グループのホームページアドレスに対応している。これによれば、特定のグループごとのダイレクトメールの反応を分析することができる。他の実施形態では、ホームページ２は内容を持たず、アクセス後に自動的別のホームページへ誘導される形式のものでも良い。
【産業上の利用可能性】
【０００９】  ダイレクトメールの反応は従来、主にサービスの提供依頼や商品の購入など、受取人の行動の最終段階でしか把握できなかったが、この発明によればダイレクトメールを見て興味を持ち、ホームページを閲覧した受取人の把握が可能となるため、次回以降のダイレクトメール発送先を絞り込み、印刷費用や郵便料金を軽減することや、より詳しい内容のダイレクトメールを作成して再度送付すること、興味のある受取人だけに特典を与えてサービス提供や製品購入の可能性を高めることなどができるようになる。ダイレクトメールという従来からの情報伝達方法にインターネットの技術を組み合わせることにより産業上の利用可能性が大きく高まることとなる。
【図面の簡単な説明】
【００１０】
【図１】この発明の一実施形態を示す概略図である。
【図２】この発明の他の実施形態を示す概略図である。
【符号の説明】
【００１１】１  ダイレクトメール  ２  サーバーに設定されたホームページ
３  サーバー
【図１】
2006323797.tif 000003
【図２】
2006323797.tif 000004
(57)【要約】【課題】    従来の株の売買時の銘柄探しの仕方は各個人、いわゆる売買人が銘柄を頭に記憶してその記憶を頼りに銘柄を探すか、もしくは自分の好みの銘柄をポートフォリオに入れるかというものであった。この銘柄探しのタイムロスによる非効率性を解決するためのことを課題とする。【解決手段】  同じ業種、業界、または類似銘柄のAの株が上がれば、連動してBの株も上がるという連動性や類似性を利用し、それらをグループ化したデーターベースにまとめることにより、一瞬で動き出したグループを見つけることが出来る。【選択図】    図1
2006323722.tif 000002
【特許請求の範囲】
【請求項１】
株の銘柄を連動性や類似性を利用し、それらを各グループ化したものをデーターベース化したもの。
【発明の詳細な説明】
【技術分野】
【０００１】
本発明は株の売買時の銘柄探しに関するものであり、銘柄探しを効率良くスピーディーにするためにデーターベース化したものである
【背景技術】
【０００２】
従来の株の売買時の銘柄探しの仕方は各個人、いわゆる売買人が銘柄を頭に記憶してその記憶を頼りに銘柄を探すか、もしくは自分の好みの銘柄をポートフォリオに入れるかというものであった
【発明の開示】
【発明が解決しようとする課題】
【０００３】
インターネット売買が急速に増える中、デイトレーダーが増え、１日の内に何回も売買をし、利ざやを取る者が増えてきた。しかし、従来の売買の仕方では、ザラ場中に銘柄を探すために色んな銘柄を見てるうちに、他の株が既に上がってしまっていて、買いたい時にはもう買えないという状況になる事が多々であった。この銘柄探しのタイムロスによる非効率性を解決するためのことを課題とする。
【課題を解決するための手段】
【０００４】
この課題を解決するための請求項1の発明は、同じ業種、業界、または類似銘柄のAの株が上がれば、連動してBの株も上がるという連動性や類似性を利用し、それらをグループ化したデーターベースにまとめたものである。記憶を頼りに銘柄を探したり、自分の好みをポートフォリオにまとめるのではなく、連動した時にいち早く発見できる銘柄をグループ化し、データーベース化するものである。これにより、他の人よりも先にかなり効率良く銘柄を探す事ができる。
【発明の効果】
【０００５】
本発明は、株の連動性を生かしデーターベース内をグループ化したものである。
株を売買する上で、連動性、類似性というのは日常茶飯事に発生し、株が上がって行く局面では、人より先に株を買うと早く見つけれるため買値が低く抑えられ、この連動型データーベースが重要であり、デイトレーダー達は銘柄探しのタイムロスによる非効率性を防ぐことが出来る。
【０００６】
また、連動型というのが大事であり、株式市場が開いているザラ場中に、このデーターベースを見ているだけで、一目で株価が動き出したグループが分かるというものである。
【発明を実施するための最良の形態】
【０００７】
図1は、連動型データーベース（スパイダーシート）である。
すべてグループ化されており、グループ内は高い確率で連動する銘柄を集めている。
【図面の簡単な説明】
【０００８】
【図１】図１は、データーベース内のグループ化した各セクターの図面である。このセクターの項目は順次追加や削除されることがある。
【符号の説明】
【０００９】
1      グループ化したセクター
【図１】
2006323722.tif 000003
(57)【要約】【課題】今後携帯電話が携帯端末器になる。だがしかし人間の指の大きさは変わらない。機器の小型化に伴って、キーボタンも小さくしたり、キーボタン数を極端に増やすわけにはいかない。操作がしづらくなるためだ。また現状の携帯電話の入力方法は独自でパソコン利用者には違和感があるし、機能的でない。それを解決することにある。【解決手段】携帯に、マウス機能（トラックボール、左・右クリックボタン）をつける。このことにより、画面上でポインターの移動・選択がスムーズになる。またクリックボタン▲１▼・▲２▼とキーボタンの同時押しにより、のべキー数を増やし文字入力がキーボード入力並みに簡単スピーディになる。【選択図】図１
2006203834.tif 000002
【特許請求の範囲】
【請求項１】
携帯電話で、パソコン（キーボードとマウス）入力作業するくらい簡単に文字入力および操作が出来る機器を提供する。もちろん片手操作。
【発明の詳細な説明】
【発明の詳細な説明】
【技術分野】
【０００１】この発明は現行の携帯電話に左・右クリックボタンを増設し、パソコンのマウス操作とキーボード入力に近い感覚で操作できる携帯電話に関するものです。
【背景技術】
【０００２】・現行の携帯電話はパソコン操作とは全く異なった方法での入力・操作であり、メール使用以外ではかなり手間の掛かる入力・操作方法だと思われる。【０００３】
【特許文献１】なし
【発明が解決しようとする課題】
【０００４】現状の携帯電話には次のような欠点があった。
・携帯・操作上の理由からボタンの数・大きさに限界がある。パソコンキーボードのようにキーを増やせない。そのためたとえば英文字”ｂ”を表示させるのに同じボタンを５回も押さなければならない。手間である。
・パソコンのキーボード入力・マウス操作とかなり異なるので違和感があり、操作・入力もかなり手間取る。
・これから携帯電話は携帯端末情報器ＰＤＡに取って代わろうとしているのに、操作・入力方法が独自で面倒である。
本発明は、以上のような欠点をなくすために考えたものである。
【課題を解決するための手段】
【０００５】携帯電話にマウス機能、パソコンキーボード入力に近い機能を持たせ、通常のパソコンなみの操作性を持たせる。（ボタン数をあまり増やさずに）
マウス操作
・クリックボタン▲１▼が通常マウスで言う左クリックボタンで、クリックボタン▲２▼が右クリックボタンである。
トラックボール▲３▼が中央にありそれを親指で回転させることでポインタが画面上を自由に動き回れる。
ＰＣキーボード入力に近い機能
クリックボタンとキーボタンを同時に押すことにより、のべキー数を増やす。
たとえば
１，キーボタン▲５▼を押すと”１”が入力される。
２，クリックボタン▲１▼を押しながらキーボタン▲５▼をおすと”ａ”が入力される。
３，クリックボタン▲２▼を押しながらキーボタン▲５▼をおすと”ｂ”が入力される。
４，クリックボタン▲１▼▲２▼を同時に押しながらキーボタン▲５▼をおすと”ｃ”が入力される。
以上のように、同時押し一発で所定の文字を入力することが出来る。
ただしこれはアルファベット入力か、ローマ字入力のみ有効。どうしてもひらがな入力にこだわる場合は、文字種類が多いため現行携帯電話の入力になる。
パソコン同様、Ｓｈｉｆｔ変換キーとＥｎｔｅｒキー▲４▼を使って変換＋選択を繰り返しながらの入力となる
本発明は、以上の構成のマウス機能付携帯電話である。
【発明を実施するための最良の形態】
【０００６】以下、本発明の実施の形態について説明する。
クリックボタン▲１▼
・マウスの左クリックボタンと同じ役目（選択、ドラッグ等）
・文字入力の際はこのクリックボタンとキーボタンを同時に押すことにより入力文字次候補選択を行う。キーボタンの少なさ（通常パソコン比）を補う。
クリックボタン▲２▼
・マウスの右クリックボタンと同じ役目（項目表示、ドラッグ等）
・文字入力の際はこのクリックボタンとキーボタンを同時に押すことにより入力文字次候補選択を行う。キーボタンの少なさ（通常パソコン比）を補う。
クリックボタン▲１▼＋▲２▼
・文字入力の際はこのクリックボタンとキーボタンを同時に押すことにより入力文字次候補選択を行う。キーボタンの少なさ（通常パソコン比）を補う。
トラックボール▲３▼
・親指でボールを回転させることにより、画面上を自由に行き交うことが出来る。（マウスのボールと同じ）
ボタン類▲４▼
入力操作に必要最小なキーを従来のキーに付け加える。
Ｓｈｉｆｔ．Ｓｐａｃｅ．Ｄｅｌ．Ｅｎｔｅｒ  等
本発明は、以上のような構造で、これを使用するときは
１，携帯電話を携帯端末器として使用する際。
・文字・数字入力キーボタン数は少ないが、クリックボタン▲１▼、▲２▼とキーボタンの同時押しを行い、ＰＣキーボードと遜色なく入力できる。
・ポインターの移動・選択は、トラックボール▲４▼、クリックボタン▲１▼・▲２▼によりマウス操作のように操作ができる。
【発明の効果】
【０００７】携帯電話が携帯情報端末器になるとき、パソコンのキーボードよりボタン数が極端に少ない（逆にボタンを大きくできるので押しやすい）がパソコンのキーボード入力・マウス操作に近い感覚で簡単に入力・操作ができる。
【図面の簡単な説明】
【図１】本発明の斜視図である。
【符号の説明】
１，クリックボタン▲１▼
２，クリックボタン▲２▼
３，トラックボール▲３▼
４，ボタン類▲４▼
５，キーボタン▲５▼
【図１】
2006203834.tif 000003